(57)【特許請求の範囲】
【請求項１】
カード本体と、
このカード本体に表示された３横列×３縦列のマトリックス形態の配列とされた確認印が付与される９個の日日表記欄からなる第１の日日表記欄群と、
前記カード本体に表示された３横列×３縦列のマトリックス形態の配列とされた確認印が付与される９個の日日表記欄からなる第２の日日表記欄群と、
前記第１の日日表記欄群および前記第２の日日表記欄群の前記日日表記欄のそれぞれに表記された日日である日日表記とからなり、
第１の日日表記欄群および第２の日日表記欄群あるいはいずれか一方の一部の日日表記欄が他の日日表記欄とは異なることが識別できる特別表記がされ、
前記第１の日日表記欄群と前記第２の日日表記欄群の横列、縦列および斜列において、前記特別表記の日日表記欄と前記他の日日表記欄とが混在した前記横列、前記縦列および前記斜め列が形成され、
前記カード本体に、月の日日からなる月表示部が設けられ、この月表示部において、第１の日日表記欄群および第２の日日表記欄群に表記された日日と他の日日とを識別する押し印日識別表記が表記されてなることを特徴とするビンゴゲーム式ポイントカード。
【請求項２】
カード本体と、
このカード本体に表示された３横列×３縦列のマトリックス形態の配列とされた確認印が付与される９個の日日表記欄からなる第１の日日表記欄群と、
前記カード本体に表示された３横列×３縦列のマトリックス形態の配列とされた確認印が付与される９個の日日表記欄からなる第２の日日表記欄群と、
前記第１の日日表記欄群および前記第２の日日表記欄群の前記日日表記欄のそれぞれに表記された日日である日日表記とからなり、
第１の日日表記欄群および第２の日日表記欄群あるいはいずれか一方の一部の日日表記欄が他の日日表記欄とは異なることが識別できる特別表記がされ、
前記第１の日日表記欄群と前記第２の日日表記欄群の横列、縦列および斜列において、前記特別表記の日日表記欄と前記他の日日表記欄とが混在した前記横列、前記縦列および前記斜め列が形成され、
月の日日からなる月表示部を前記カード本体とは別体である別のカード本体に表記し、この月表示部において、第１の日日表記欄群および第２の日日表記欄群に表記された日日と他の日日とを識別する押し印日識別表記とが表記されてなるカレンダーを形成し、このカレンダーを前記カレンダー本体に添付してなることを特徴とする請求項１記載のビンゴゲーム式ポイントカード。
【発明の詳細な説明】
【技術分野】
【０００１】
本発明は、店舗で買い物をした商品購入者（顧客）がレジ等で提示して、その日の日日が表記されている欄に押印などの来店購入確認印を店側から記してもらい、来店購入確認印で取得された横列、縦列、斜め列のビンゴの数に応じたポイント数を獲得する使用態様のビンゴゲーム式ポイントカードに関する。
【背景技術】
【０００２】
従来のビンゴゲーム式ポイントカードとして、カード本体と、このカード本体に表示された顧客情報欄（顧客を特定する情報の記載欄１８）と、３横列×３縦列のマトリックス形態の配列とされた９個の日日表記欄からなる一つの日日表記欄群（日付マトリクス欄１１）とを有し、日日表記欄群（日付マトリクス欄１１）に、来店購入確認印で取得された横列、縦列、斜め列のビンゴの数の多さに応じたポイント数を与える使用態様のビンゴゲーム式ポイントカードが知られている。また、そこには一つの日日表記欄群（日付マトリクス欄１１）は、４横列×４縦列のマトリックス形態の配列とされた１６個の日日表記欄を有する形態、５横列×５縦列のマトリックス形態の配列とされた２５個の日日表記欄を有する形態のものでもよいことが記載されている。（例えば特許文献１）
【先行技術文献】
【特許文献】
【０００３】
【特許文献１】実用新案登録第３１５１７４２号公報
【非特許文献】
【０００４】
【非特許文献１】特になし
【発明の概要】
【発明が解決しようとする課題】
【０００５】
前述した特許文献１の発明は、日日表記欄群は一つしかないために、３横列×３縦列のマトリックス形態の配列とされた９個の日日表記欄を有する形態、４横列×４縦列のマトリックス形態の配列とされた１６個の日日表記欄を有する形態、５横列×５縦列のマトリックス形態の配列とされた２５個の日日表記欄を有する形態の三つの形態の一つしか使用できないものであった。
３横列×３縦列のものでは、オールビンゴ（最大ビンゴ数）は  横３ビンゴ＋縦３ビンゴ＋斜め２ビンゴ＝８ビンゴであり、この８ビンゴを取得する場合は、なにも特典が無い場合では表記日日の９日間店舗に買い物に行けばよいことになる。
４横列×４縦列のものでは、オールビンゴ（最大ビンゴ数）は  横４ビンゴ＋縦４ビンゴ＋斜め２ビンゴ＝１０ビンゴであり、この１０ビンゴを取得する場合は、なにも特典が無い場合では表記日日の１６日間店舗に買い物に行けばよいことになる。
５横列×５縦列のものでは、オールビンゴ（最大ビンゴ数）は  横５ビンゴ＋縦５ビンゴ＋斜め２ビンゴ＝１２ビンゴであり、この１２ビンゴを取得する場合は、なにも特典が無い場合では表記日日の２５日間店舗に買い物に行けばよいことになる。
これらのことから明らかなことは、多くの日日来店しても特別有利なビンゴ取得につながらない、すなわち、多くの日日来店することが顧客からみて魅力がないという欠点を有するものであった。
また、日日表記欄を多くすればするほどビンゴを取得することが困難になるという欠点を有するものであった。このことは、多数のビンゴを取得しようとする顧客の意欲が失せてゆくという顧客来店促進というビンゴゲーム式ポイントカードの目的に反し行くものであった。
【０００６】
また、顧客がビンゴゲーム式ポイントカードの日日を自らの予定表や、家のカレンダーに記入しないと、押し印が獲得できる日を認識し難いものであった。
【０００７】
本発明は以上のような従来技術の欠点に鑑み、顧客が少ない来店で多くのポイントを取得できるとともに、来店が多くなるとよりポイント取得が多くなるビンゴゲーム式ポイントカードを提供することを目的としている。
また、顧客が少ない来店で多くのポイントを取得できるとともに、来店が多くなるとよりポイント取得が多くなるとともに、顧客が押し印日を認識し易く、来店予定を立てやすいビンゴゲーム式ポイントカードを提供することを目的としている。
【課題を解決するための手段】
【０００８】上記目的を達成するために、本発明は次のような構成となっている。
カード本体と、
このカード本体に表示された３横列×３縦列のマトリックス形態の配列とされた確認印が付与される９個の日日表記欄からなる第１の日日表記欄群と、
前記カード本体に表示された３横列×３縦列のマトリックス形態の配列とされた確認印が付与される９個の日日表記欄からなる第２の日日表記欄群と、
前記第１の日日表記欄群および前記第２の日日表記欄群の前記日日表記欄のそれぞれに表記された日日である日日表記とからなり、
第１の日日表記欄群および第２の日日表記欄群あるいはいずれか一方の一部の日日表記欄が他の日日表記欄とは異なることが識別できる特別表記がされ、
前記第１の日日表記欄群と前記第２の日日表記欄群の横列、縦列および斜列において、前記特別表記の日日表記欄と前記他の日日表記欄とが混在した前記横列、前記縦列および前記斜め列が形成され、
前記カード本体に、月の日日からなる月表示部が設けられ、この月表示部において、第１の日日表記欄群および第２の日日表記欄群に表記された日日と他の日日とを識別する押し印日識別表記が表記されてなることを特徴とするビンゴゲーム式ポイントカードである。
＜請求項２記載の発明＞
カード本体と、
このカード本体に表示された３横列×３縦列のマトリックス形態の配列とされた確認印が付与される９個の日日表記欄からなる第１の日日表記欄群と、
前記カード本体に表示された３横列×３縦列のマトリックス形態の配列とされた確認印が付与される９個の日日表記欄からなる第２の日日表記欄群と、
前記第１の日日表記欄群および前記第２の日日表記欄群の前記日日表記欄のそれぞれに表記された日日である日日表記とからなり、
第１の日日表記欄群および第２の日日表記欄群あるいはいずれか一方の一部の日日表記欄が他の日日表記欄とは異なることが識別できる特別表記がされ、
前記第１の日日表記欄群と前記第２の日日表記欄群の横列、縦列および斜列において、前記特別表記の日日表記欄と前記他の日日表記欄とが混在した前記横列、前記縦列および前記斜め列が形成され、
月の日日からなる月表示部を前記カード本体とは別体である別のカード本体に表記し、この月表示部において、第１の日日表記欄群および第２の日日表記欄群に表記された日日と他の日日とを識別する押し印日識別表記とが表記されてなるカレンダーを形成し、このカレンダーを前記カレンダー本体に添付してなることを特徴とする請求項１記載のビンゴゲーム式ポイントカードである。
【発明の効果】
【０００９】以上の説明から明らかなように、本発明にあっては次に列挙する効果が得られる。
＜請求項１記載の発明の効果＞
すなわち本発明は、３横列×３縦列の９個の日日表記欄を二つ設けたことにより、オールビンゴは８＋８＝１６ビンゴであり、この１６ビンゴを取得するためには特別な特典が無い場合にあっても９＋９＝１８日となり、従来の一つの日日表記欄のものに比べて、少ない来店日日で多くのビンゴを取得（多くのポイントを取得）でき、顧客にとって来店日日を多くすることが多くのビンゴのさらなる容易な取得となるという効果を奏する。
また、少ない日日でポイントを多数取得できるので、顧客自身が来店計画を立てやすくなるという効果を奏する。従来の１ヶ月の日日を入れられる限界ビンゴである５横列×５縦列のものが、オールビンゴが１２であり、この１２ビンゴを取得するためには２５日も来店しなければならないという、来店意欲がわかない、来店する気持にならないという従来のポイントカードからみたら、本発明の３横列×３縦列の９個の日日表記欄を二つ（二カ所）有するものは、顧客にとって少ない来店日日でその来店日を多くすることが多くのビンゴのさらなる容易な取得となるので、来店日日を多くすることが魅力的なものとなり、顧客の来店意欲や来店する気持ちを起こさせるビンゴゲーム式ポイントカードを実現する。
特別表記の日には２箇所の押し印が得られる取り決めとすることが可能となり、そうすることにより、その特別表記の日日と顧客が望む池の日日表記欄に来店購入確認印を付与することになり、より少ない来店日数によりビンゴを多数取得できるので、より顧客の来店意欲をかき立てるという効果を奏する
また、来店獲得印が増えやすくするので、顧客は来店計画、来店作戦を楽しく考えることができやすくなる、楽しくなるという効果を奏する。
「特別表記」としては、ハート、スペード、三つ葉などの絵柄、店のマーク、店のマスコット、日日表記欄枠線の色、日日表記欄の色彩による塗りつぶし、表記日日のロゴ、表記日日の数字色彩、他の文字、文章など多様な形態がある。
月表示部により、顧客自身が他の個人的な予定も記入して、より多くのビンゴポイントを獲得する来店の調整を図ることができるとともに、個人予定を記入することによりその予定を確認するごとに押し印が獲得できる日日も認識記憶するという効果を奏する。
また、顧客はこれまで家の掛けカレンダーや手帳に自身の予定を記入して、さらにビンゴゲーム式ポイントカードの日日を記入して来店予定を管理するという煩わしさがあったが、ビンゴゲーム式ポイントカードにその押し印日識別表記が表記されたカレンダーが付くことにより、このカレンダーに自身の個人予定も記入して個人の携帯予定表として利用できるとともに、押し印獲得日日の記入をしなくてよいという効果を奏する。
また、来店作戦を立てることが容易となるという効果を奏する。
ま  た、カレンダーには、広告、特売日などの情報を表記することができるという効果を奏する。
＜請求項２記載の発明の効果＞
すなわち、添付されたカレンダーにより、顧客自身の個人的な予定も記入して、より多くのビンゴポイントを獲得する来店の調整を図ることができるとともに、個人予定を記入することによりその予定を確認するごとに押し印が獲得できる日日も認識記憶できるという効果を奏する。
【図面の簡単な説明】
【００１０】
【図１】本発明の実施例１の表面図および裏面図。
【図２】本発明の実施例１の使用状態例。
【図３】本発明の実施例２の使用状態例。
【図４】本発明の実施例３の使用状態例。
【図５】本発明の実施例４の表面図。
【図６】本発明の実施例４のカレンダー付ビンゴポイントカード用台紙の表面図、裏面図および使用状態図。
【図７】本発明の実施例５の表面図。
【図８】本発明の実施例６の表面図および裏面図。
【発明を実施するための形態】
【００１１】
以下、図面に示す発明を実施するための最良の形態を説明する。ただし、本発明はそれらに限定されるものではない。
【実施例１】
【００１２】
図１、図２に示す本発明の実施例１において１はビンゴゲーム式ポイントカードであって、このポイントカー1は、カード本体２と、
このカード本体２の表面に表示された３横列×３縦列のマトリックス形態の配列とされた確認印が付与される９個の日日表記欄ａ１〜ａ９からなる第１の日日表記欄群３と、
前記カード本体２の表面に表示された３横列×３縦列のマトリックス形態の配列とされた確認印が付与される９個の日日表記欄ｂ１〜ｂ９からなる第２の日日表記欄群４と、
前記カード本体２の裏面に表記された使用年月表記５と、
前記第１の日日表記欄群３および前記第２の日日表記欄群４の前記日日表記欄のそれぞれに表記された前記使用年月表記の日日である日日表記２日（月）、２３日（月）、６日（金）、２１日（土）、１９日（木）、１７日（火）、７日（土）、２６日（木）、１３日（金）、１６日（月）、１２日（木）、４日（水）、９日（月）、１１日（木）、１日（日）、２４日（火）と、
前記第１の日日表記欄群および前記第２の日日表記欄群の前記日日表記欄のそれぞれに表記された前記日日表記の曜日を表記した曜日表記Ｙとからなるとともに、
前記日日表記欄ａ１〜ａ９、ｂ１〜ｂ９の１個には１つの日日表記とされてなることを特徴とするビンゴゲーム式ポイントカードである。
６は氏名記入欄である。
【００１３】
＊第１の日日表記欄群３の日日表記欄への日日の配置表記は次のようにされている。
日日表記欄ａ１は２日（月）
日日表記欄ａ２は２３日（月）
日日表記欄ａ３は６日（金）
日日表記欄ａ４は２１日（土）・・・特別表記ｃ１付与
日日表記欄ａ５はＦＲＥＥ
日日表記欄ａ６は１９日（木）
日日表記欄ａ７は１７日（火）・・・特別表記ｃ２付与
日日表記欄ａ８は７日（土）
日日表記欄ａ９は２６日（木）
＊第２の日日表記欄群４の日日表記欄への日日の配置は次のようにされている。
日日表記欄ｂ１は１３日（金）
日日表記欄ｂ２は１６日（月）・・・特別表記ｃ３付与
日日表記欄ｂ３は１２日（木）・・・特別表記ｃ４付与
日日表記欄ｂ４は４日（水）・・・・特別表記ｃ５付与
日日表記欄ｂ５はＦＲＥＥ
日日表記欄ｂ６は９日（月）
日日表記欄ｂ７は１１日（木）・・・特別表記ｃ６付与
日日表記欄ｂ８は１日（日）
日日表記欄ｂ９は２４日（火）
日日表記欄へ表記する日日は月によって異なるし、並べかたも日日の配置も同じにする必要はなく、その月の販売戦略に沿った配置に工夫するのがよい。
【００１４】
日日表記欄ａ１〜ａ９と日日表記欄ｂ１〜ｂ９の２行目×２列目の日日表記欄ａ５と日日表記欄ｂ５が日日以外の表記であるＦＲＥＥが表記されてなる日日未指定欄ａ５、ｂ５とされている。
日日未指定欄は中央の日日表記欄に限らないし、一つの日日表記欄群に複数設けたものもよいし、日日表記欄群の一方にのみ設けたものもよい。
日日未指定欄はなにも表記されていない空白欄でもよい。
【００１５】
日日表記欄ａ１〜ａ９のうちのａ４とａ７の２カ所および日日表記欄ｂ１〜ｂ９のうちのｂ２、ｂ３、ｂ４、ｂ７の４箇所には、日日表記欄ａ４、ａ７、ｂ２、ｂ３、ｂ４、ｂ７が他の日日表記欄とは異なることが識別できるハートマークからなる特別表記ｃ１、ｃ２、ｃ３、ｃ４、ｃ５、ｃ６が付与表記されている。
特別表記は第１の日日表記欄群３、第２の日日表記欄群４のいずれか一方にのみ付与する形態もよい。
また、特別表記が、他の日日表記欄とは異なる特別色彩とされた特別表記であり、あるいは日日表記の色が他の日日表記欄の日日表記とは異なる色彩日日表記とするのもよい。
【００１６】
カード本体２の第１の日日表記欄群および第２の日日表記欄群の外下および裏面に、２個あるいは２個以上の来店確認印９が日日表記欄に付与される日日である複数確認印サービス日日８、８が表記されている。
来店確認印（しるし）９は捺印に限られない、サイン、刻印、貼り付けシールなども含まれるものである。
【００１７】
カード本体２の表面周囲部分の上下には、ビンゴ数と該ビンゴ数で与えられるポイント数であるビンゴポイント１０が表記されている。
「１−３」は、ビンゴ数１で３ポイントが与えられることを示している。
「７−４００」は、ビンゴ数７で４００ポイントが与えられることを示している。
「１６−２０００」（オールビンゴ）は、ビンゴ数１６（オールビンゴ）でポイント２０００が与えられることを示している。
【００１８】
以上のような構成からなるビンゴゲーム式ポイントカード１は、例えば次のような取り決めにより、日日表記欄に捺印である来店確認印９が押印される。
（１）日日表記欄ａ１〜ａ９、日日表記欄ｂ１〜ｂ９に表記されている日日に来店し買い物をした顧客には、その対応する日日が表記された日日表記欄の来店確認印９を押印する。
（２）日日表記欄ａ１〜ａ９、日日表記欄ｂ１〜ｂ９に表記されていない日日に来店して買い物をしたときには、「ＦＲＥＥ」と表記された日日未指定欄であるａ５あるいはｂ５に来店確認印９を押印する。
（３）ハートマークの特別表記ｃ１、ｃ２、ｃ３、ｃ４、ｃ５、ｃ６が付与されている日日に来店し買い物をした顧客には、その日日と望む他の日日の２カ所に押印を付与する。
（４）複数確認印サービス日日８の日日に来店し買い物をした顧客には、望む日日の３カ所に押印を付与する。
【００１９】
前記取り決め（１）〜（４）にすることによって例えば、
図２の（ａ）のように、３日の来店、ビンゴ数４で１５０ポイントを取得でき、
図２の（ｂ）のように、５日の来店、ビンゴ数８で５００ポイントを取得でき、
図２の（ｃ）のように、１０日の来店、ビンゴ数１６で２０００ポイントを取得できる。
【実施例２】
【００２０】
図３に示す本発明の実施例２において前記実施例１と主に異なる点は、ハート図形の特別表記Ｃが日日表記欄に表記された日日のうちの一桁の数字が同じ数字である７の付く日日（ここでは7日、17日、複数確認印サービス日である27日）に表記されてなるビンゴゲーム式ポイントカード２０を形成した点にある。
これによって今月は「７の付く日が複数ポイントゲットの日」というように、複数ポイント取得日を顧客が記憶し易すくなり、カードを見なくても「今日は７の付く日だから○○店に行かなくては」「明日は７の付く日だから○○店に行かなくては」というように、カードを見なくとも来店日を顧客が決めやすくできる。
【実施例３】
【００２１】
図４に示す本発明の実施例３において前記実施例１と主に異なる点は、日日表記欄群３および日日表記欄群４（あるいはいずれか一方の日日表記欄群でもよい）の複数の日日表記欄に同じ日日が、「１３日、１３日」「１９日、１９日」「２３日、２３日」と表記され、その複数の同じ日日が表記された日日表記欄（「１３日、１３日」「１９日、１９日」「２３日、２３日」）に特別表記Ｃが表記されてなるビンゴゲーム式ポイントカード２２を形成した点にある。
このようにすると、一回の来店で４箇所への来店確認印９を得ることができ、１３日、１９日、２３日の三回の来店で１２箇所の来店確認印９を得ることができる。来店三回で、日日表記欄群３で１ビンゴ、日日表記欄群４で８ビンゴの、合計９ビンゴを得ることができ、対応するポイント６００ポイントをゲットするっことになる。
さらに、３箇所の来店確認印９を得ることができる複数確認印サービス日日８である３１日に来店すると、２ビンゴ増えて１１ビンゴとなり、８００ポイントをゲットすることになる。すなわち、４回の来店で１１ビンゴ・８００ポイントを獲得する。
そして、プラス３回の来店、合計７回の来店で１６ビンゴであるパーフェクトビンゴとなり、２０００ポイントを獲得する。
さらに、例えば、１００００円以上お買い上げの場合はプラス１箇所、来店確認印９を押し印することにすると、より少ない来店回数でパーフェクトビンゴを獲得することができる。
【実施例４】
【００２２】
図５、図６に示す本発明の実施例４において前記実施例３と主に異なる点は、カード本体をカード本体２よりも２倍の横長のカード本体２４とし、その中央にミシン線２５を設け左側をビンゴ部２６とし、右側をカレンダー部２７（カレンダー）とし、ビンゴ部２６に日日表記欄群３および日日表記欄群４を印刷表記し、カレンダー部２７に予定が記入できる月表示部２８を表記してなるビンゴゲーム式ポイントカード２９を形成した点にある。
月表示部２８は、内の日日表記欄群３および日日表記欄群４に表記された日日と他の日日とを識別する星印からなる押し印日識別表記３１と、この押し印日識別表記３１の内の特別表記Ｃの日日に該特別表記Ｃの図柄であるハート図柄の特別表記認識手段３３とが表記されている。
特別表記認識手段３３は押し印日識別表記を兼ねている。
カレンダーを見ながら来店作戦を立てることができる。
ミシン線２５でビンゴ部２６とカレンダー部２７（カレンダー）とを切り離して使うこともできる。また、ビンゴ部２６を店に提出する際は、カレンダー部２７（カレンダー）をミシン線２５で切り離して提出できる。
ビンゴ部２６の裏面には、顧客の苦情、提案、意見を記入することができる意見記入欄を設けるとよい。
【実施例５】
【００２３】
図７に示す本発明の実施例５において前記実施例３と主に異なる点は、カード本体３７に月表示部２８を印刷表記し、日日表記欄群３および日日表記欄群４の簡易縮小版であるチェック欄３８を印刷表記したカレンダー３９を、ビンゴゲーム式ポイントカード２２に添付した点にある。
ビンゴゲーム式ポイントカード２２を見なくても、カレンダー３９によって押し印獲得日が確認することができるとともに、チェック欄３８に押し印獲得チェックを入れることによって、来店作戦を立てることができる。
【実施例６】
【００２４】
図８に示す本発明の実施例６において前記実施例３と主に異なる点は、カード本体２の真ん中に折り目と切り取り線を兼ねるミシン線２５を設け、カード本体２ａ、２ｂに分け、カード本体２ａの表面に第１の日日表記欄群３を印刷表記し、カード本体２ａの裏面に第２の日日表記欄群４を印刷表記し、カード本体２ｂの表面に月の前半の日日からなる月表示部２８ａを印刷表記し、カード本体２ｂの裏面に月の後半の日日からなる月表示部２８ｂを印刷表記した構成としてなるビンゴゲーム式ポイントカード４２を形成した点にある。
月表示部２８ａと月表示部２８ｂとでカレンダー部を形成している。
月の前半の日日からなる月表示部２８ａと同じ表面にある第１の日日表記欄群３には、月表示部２８ａの日日のうちから選択された日日が表記され、月の後半の日日からなる月表示部２８ｂと同じ裏面にある第２の第２の日日表記欄群４には、月表示部２８ｂの日日のうちから選択された日日が表記されていて、日日表記欄群と月表示部とを対比しながら見る、予定を記入することができるものである。
二つ折りにすると、縦略９６ｍｍ×横略６９ｍｍの二つ折りの財布に入れることのできる大きさとなる。
【００２５】［付記］
［付記１の発明］
カード本体と、
このカード本体に表示された２横列×２縦列以上のマトリックス形態の配列とされた確認印が付与される日日表記欄からなる日日表記欄群と、
前記日日表記欄のそれぞれに表記された日日である日日表記と、
前記カード本体に表記された月表示部とからなることを特徴とするポイントカード。
日日表記欄群は一つのものも複数のものも技術的範疇とするものである。
［付記２の発明］
カード本体と、
このカード本体に表示された２横列×２縦列以上のマトリックス形態の配列とされた確認印が付与される日日表記欄からなる日日表記欄群と、
前記日日表記欄のそれぞれに表記された日日である日日表記とからなるポイントカード本体と、
このポイントカードに添付された、カレンダー本体、このカレンダー本体に表記された月表示部とからなるカレンダーと、
以上のごとく構成されてなることを特徴とするポイントカード。
［付記３の発明］
月表示部の日日欄に日日表記欄の日日であることを示す押し印日識別表記が表記されてなることを特徴とする付記１、２のいずれか１付記に記載のポイントカード。
「押し印日識別表記」は、星図柄、ハート図柄などの図柄、マスコット絵、欄枠強調、欄色分けなど多様方法がある。
＜付記Ｂの１記載のビンゴゲーム式ポイントカード＞
カード本体と、
このカード本体に表示された３横列×３縦列のマトリックス形態の配列とされた確認印が付与される９個の日日表記欄からなる第１の日日表記欄群と、
前記カード本体に表示された３横列×３縦列のマトリックス形態の配列とされた確認印が付与される９個の日日表記欄からなる第２の日日表記欄群と、
前記第１の日日表記欄群および前記第２の日日表記欄群の前記日日表記欄のそれぞれに表記された日日である日日表記とからなることを特徴とするビンゴゲーム式ポイントカードであるので次のような効果を奏する。
本ビンゴゲーム式ポイントカードは、日日表記欄に表記された日日に来店し商品を購入等した場合に該日日表記欄に押印などの来店購入確認印（商品の購入をしない来店のみでも付与する来店確認印である場合もある）を付与して、その来店購入確認印によるビンゴ数（来店購入確認印で全部が埋められた横列、縦列、斜め列）によってポイントを付与する使用態様を実現するビンゴゲーム式ポイントカードである。
すなわち本ビンゴゲーム式ポイントカードは、３横列×３縦列の９個の日日表記欄を二つ設けたことにより、オールビンゴは８＋８＝１６ビンゴであり、この１６ビンゴを取得するためには特別な特典が無い場合にあっても９＋９＝１８日となり、従来の一つの日日表記欄のものに比べて、少ない来店日日で多くのビンゴを取得（多くのポイントを取得）でき、顧客にとって来店日日を多くすることが多くのビンゴのさらなる容易な取得となるという効果を奏する。
また、少ない日日でポイントを多数取得できるので、顧客自身が来店計画を立てやすくなるという効果を奏する。
従来の１ヶ月の日日を入れられる限界ビンゴである５横列×５縦列のものが、オールビンゴが１２であり、この１２ビンゴを取得するためには２５日も来店しなければならないという、来店意欲がわかない、来店する気持にならないという従来のポイントカードからみたら、本ビンゴゲーム式ポイントカードの３横列×３縦列の９個の日日表記欄を二つ（二カ所）有するものは、顧客にとって少ない来店日日でその来店日を多くすることが多くのビンゴのさらなる容易な取得となるので、来店日日を多くすることが魅力的なものとなり、顧客の来店意欲や来店する気持ちを起こさせるビンゴゲーム式ポイントカードを実現する。
＜付記Ｂの２記載のビンゴゲーム式ポイントカード＞
第１の日日表記欄群および第２の日日表記欄群あるいはいずれか一方の一部の日日表記欄が他の日日表記欄とは異なることが識別できる特別表記がされてなることを特徴とする付記Ｂの１記載のビンゴゲーム式ポイントカードであるので、付記Ｂの１記載のビンゴゲーム式ポイントカードの効果と同様な効果を奏するとともに次のような効果を奏する。
すなわち、特別表記の日には２箇所の押し印が得られる取り決めとすることが可能となり、そうすることにより、その特別表記の日日と顧客が望む他の日日表記欄に来店購入確認印を付与することになり、より少ない来店日数によりビンゴを多数取得できるので、より顧客の来店意欲をかき立てるという効果を奏する
また、来店獲得印が増えやすくするので、顧客は来店計画、来店作戦を楽しく考えることができやすくなる、楽しくなるという効果を奏する。
「特別表記」としては、ハート、スペード、三つ葉などの絵柄、店のマーク、店のマスコット、日日表記欄枠線の色、日日表記欄の色彩による塗りつぶし、表記日日のロゴ、表記日日の数字色彩、他の文字、文章など多様な形態がある。
＜付記Ｂの３記載のビンゴゲーム式ポイントカード＞
特別表記が、第１の日日表記欄群と第２の日日表記欄群にそれぞれ複数表記されてなることを特徴とする付記Ｂの２記載のビンゴゲーム式ポイントカードであるので、このような構成としても付記Ｂの２記載のビンゴゲーム式ポイントカードと同様な効果を奏するとともに、さらに顧客の来店意欲をかき立てるという効果を奏する。
また、顧客が来店計画をさらに立てやすくなるという効果を奏する。
＜付記Ｂの４記載のビンゴゲーム式ポイントカード＞
特別表記が日日表記欄に表記された日日のうちの一桁の数字が同じ数字である日日に表記されてなることを特徴とする付記Ｂの２、３のいずれか１項に記載のビンゴゲーム式ポイントカードであるので、付記Ｂの２、３のいずれか１項に記載のビンゴゲーム式ポイントカードと同様な効果を奏するとともに、次に述べるような効果を奏する。
すなわち、例えば今月は「５の付く日が複数ポイントゲットの日」というように、複数ポイント取得日を顧客が認熾記憶し易すくなり、カードを見なくても「今日は５の付く日だから○○店に行かなくては」「明日は５の付く日だから○○店に行かなくては」というように、カードを見なくとも来店日を顧客が決めやすくできるという効果を奏する。
＜付記Ｂの５記載のビンゴゲーム式ポイントカード＞
第１の日日表記欄群および第２の日日表記欄群あるいはいずれか一方の日日表記欄群の複数の日日表記欄に同じ日日が表記され、その複数の同じ日日が表記された日日表記欄に特別表記が表記されてなることを特徴とする付記Ｂの２〜４のいずれか１項に記載のビンゴゲーム式ポイントカードであるので、付記Ｂの２〜４のいずれか１項に記載のビンゴゲーム式ポイントカードと同様な効果を奏するとともに、次に述べるような効果を奏する。
すなわち、例えば、特別表記の日日（以下「複数表記日日」という）に来店したら２箇所の押し印を取得できることになっていれば、二つの同じ日日が表記されそこに特別表記がなされていれば、その日に来店すれば倍の４箇所の押し印を取得できるので、顧客はその複数表記日日を他の日日と区別して特別に意識・認識してくれるという効果を奏する。
＜付記Ｂの６記載のビンゴゲーム式ポイントカード＞
カード本体の第１の日日表記欄群および第２の日日表記欄群外に、２個あるいは２個以上の来店確認印が付与される日日である複数確認印サービス日日が表記され、複数確認印サービス日日が２７日以来の日日であることを特徴とする付記Ｂの１〜５のいずれか１項に記載のビンゴゲーム式ポイントカードであるので、付記Ｂの１〜５のいずれか１項に記載のビンゴゲーム式ポイントカードと同様な効果を奏するとともに、次に述べるような効果を奏する。
すなわち、ためてきたビンゴ完成可能状態が多く形成されている、２７日以来という月の後半日に複数確認印サービス日日を特別に設定するものであるので、押し印を取得できる最終日とその取得数がわかるので、その日に来店することを決めた場合、より取得を可能とする来店計画を顧客がより立てやすくなるという効果を奏する。
このように、来店獲得印が増えやすくすることにより、顧客は来店計画、来店作戦を楽しく考えることができやすくなるという効果を奏する。
＜付記Ｂの７記載のビンゴゲーム式ポイントカード＞
カード本体と、このカード本体に表記された月表示部と、この月表示部の内の第１の日日表記欄詳および第２の日日表記欄群に表記された日日と他の日日とを識別する押し印日識別表記とが表記されてなるカレンダーを添付してなることを特徴とする付記Ｂの１〜６のいずれか１項に記載のビンゴゲーム式ポイントカードであるので、付記Ｂの１〜６のいずれか１項に記載のビンゴゲーム式ポイントカードの効果と同様な効果を奏するとともに、次に述べるような効果を奏する。
すなわち、添付されたカレンダーにより、顧客自身の個人的な予定も記入して、より多くのビンゴポイントを獲得する来店の調整を図ることができるとともに、個人予定を記入することによりその予定を確認するごとに押し印が獲得できる日日も認識記憶できるという効果を奏する。
また、顧客はこれまで家の掛けカレンダーや手帳に自身の予定を記入して、さらにビンゴゲーム式ポイントカードの日日を記入して来店予定を管理するという煩わしさがあったが、ビンゴゲーム式ポイントカードにその押し印日識別表記が表記されたカレンダーが付くことにより、このカレンダーに自身の個人予定も記入して個人の携帯予定表として利用できるとともに、押し印獲得日日の記入をしなくてよいという効果を奏する。
また、カレンダーには特売日などの情報を表記することができ、これによって顧客は来店計画をより明確にできるという効果を奏する。
＜付記Ｂの８記載のビンゴゲーム式ポイントカード＞
カード本体に、月表示部と、この月表示部の内の第１の日日表記欄群および第２の日日表記欄群に表記された日日と他の日日とを識別する押し印日識別表記とが表記されてなることを特徴とする付記Ｂの１〜６のいずれか１項に記載のビンゴゲーム式ポイントカードであるので、付記Ｂの１〜６のいずれか１項に記載のビンゴゲーム式ポイントカードの効果と同様な効果を奏するとともに、次に述べるような効果を奏する。
すなわち、月表示部により、顧客自身が他の個人的な予定も記入して、より多くのビンゴポイントを獲得する来店の調整を図ることができるとともに、個人予定を記入することによりその予定を確認するごとに押し印が獲得できる日日も認識記憶するという効果を奏する。
また、顧客はこれまで家の掛けカレンダーや手帳に自身の予定を記入して、さらにビンゴゲーム式ポイントカードの日日を記入して来店予定を管理するという煩わしさがあったが、ビンゴゲーム式ポイントカードにその押し印日識別表記が表記されたカレンダーが付くことにより、このカレンダーに自身の個人予定も記入して個人の携帯予定表として利用できるとともに、押し印獲得日日の記入をしなくてよいという効果を奏する。
また、来店作戦を立てることが容易となるという効果を奏する。
また、カレンダーには、広告、特売日などの情報を表記することができるという効果を奏する。
【産業上の利用可能性】
【００２６】
本発明はスーパーマーケットなどの店舗で利用される。
【符号の説明】
【００２７】
１：ビンゴゲーム式ポイントカード、
２、２ａ、２ｂ：カード本体、
ａ１〜ａ９：日日表記欄、
３：第１の日日表記欄群、
ｂ１〜ｂ９：日日表記欄、
ａ５、ｂ５：日日未指定欄、
４：第２の日日表記欄群、
５：使用年月表記、
６：氏名記入欄、
Ｃ、ｃ１、ｃ２、ｃ３、ｃ４、ｃ５、ｃ６：特別表記、
８：複数確認印サービス日日、
９：来店確認印、
１０：ビンゴポイント、
２０：ビンゴゲーム式ポイントカード、
２２：ビンゴゲーム式ポイントカード、
２４：カード本体、
２５：ミシン線、
２６：ビンゴ部、
２７：カレンダー部、
２８、２８ａ、２８ｂ：月表示部、
２９：ビンゴゲーム式ポイントカード、
３１：押し印日識別表記、
３３：特別表記認識手段、
３７：カード本体、
３８：チェック欄、
３９：カレンダー、
４２：ビンゴゲーム式ポイントカード、
【図１】
0005561667.tif 000002
【図２】
0005561667.tif 000003
【図３】
0005561667.tif 000004
【図４】
0005561667.tif 000005
【図５】
0005561667.tif 000006
【図６】
0005561667.tif 000007
【図７】
0005561667.tif 000008
【図８】
0005561667.tif 000009